【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
複数の絵柄を可変表示する絵柄表示装置と、
絵柄の可変表示を開始させるべく操作される始動操作手段と、
始動操作手段の操作に基づいて役の抽選処理を実行する抽選処理実行手段と、
前記絵柄の可変表示を停止させるべく操作される停止操作手段と、
前記始動操作手段の操作に基づいて前記絵柄の可変表示を開始させ、前記停止操作手段の操作に基づいて前記絵柄の可変表示を停止させるように、前記絵柄表示装置を制御する制御手段と、
前記役の抽選結果が付与役当選であって、前記絵柄の可変表示領域における予め定められた有効位置にその当選となった付与役に対応する付与役入賞が成立した場合に遊技媒体を付与する媒体付与手段と、
前記役の抽選結果が移行契機役当選であって、前記有効位置に移行契機入賞が成立した場合に遊技状態を通常遊技状態よりも遊技者に有利な特別遊技状態に移行させるとともに、当該特別遊技状態開始からの前記媒体付与手段により付与された付与累積数が予め定められた規定数に達したか否かを判断し、当該規定数に達した場合には特別遊技状態を終了させる特別遊技状態移行手段とを備え、
前記役の抽選結果において、第１付与役及び第２付与役に共に当選する場合があるよう構成し、
前記媒体付与手段は、前記第１付与役及び前記第２付与役に共に当選した場合であって前記有効位置に第１付与役入賞が成立した場合に第１付与数の遊技媒体を付与するとともに、前記第１付与役及び前記第２付与役に共に当選した場合であって前記有効位置に第２付与役入賞が成立した場合に前記第１付与数よりも少ない第２付与数の遊技媒体を付与し、さらに前記特別遊技状態において遊技媒体の付与途中に前記付与累積数が前記規定数に達したとしても、その遊技回における入賞に応じた遊技媒体数の付与を完了させる構成とし、
前記特別遊技状態の各遊技回における前記役の抽選結果が前記第１付与役及び前記第２付与役に共に当選する結果となる場合において、前記第２付与数の遊技媒体の付与が行われることなく前記付与累積数が前記規定数に達する場合よりも、前記第２付与数の遊技媒体の付与が少なくとも１回行われて前記付与累積数が前記規定数に達する場合に当該付与累積数が多くなるように、前記第１，第２付与数を設定したことを特徴とする遊技機。
【請求項２】
前記媒体付与手段は、前記役の抽選結果が移行契機役当選であって、前記有効位置に移行契機入賞が成立した場合に遊技媒体の付与を行わない構成であり、
前記第１付与数の自然数倍が前記規定数となるように当該第１付与数を設定した、又は前記規定数を前記第１付与数で除算した場合の余りが前記第２付与数よりも大きい数となるように前記第１，第２付与数を設定したことを特徴とする請求項１に記載の遊技機。
【請求項３】
前記絵柄表示装置は、周方向に周回するとともに当該周方向に前記絵柄が複数種付された複数の周回体を備え、前記停止操作手段を前記各周回体の周回を個別に停止させるよう複数設け、
前記各周回体について各絵柄のうち一部の絵柄を視認可能とする表示窓部と、前記各周回体にそれぞれ対応させて設けられ、各周回体を周回させる駆動手段とを備えるとともに、
前記制御手段は、前記始動操作手段の操作に基づいて前記各周回体の周回を開始させるよう前記各駆動手段を開始駆動制御する開始駆動制御手段と、前記各停止操作手段の操作に基づいて対応する周回体の周回を停止させるよう前記各駆動手段を停止駆動制御する停止駆動制御手段とを備え、
前記絵柄の可変表示領域は前記表示窓部を介して視認可能な領域であり、当該視認可能な領域に前記有効位置を設定し、
前記停止駆動制御手段は、前記停止操作手段の操作タイミングから予め定められた規定期間内に対応する周回体の周回を停止させるよう前記各駆動手段を停止駆動制御するとともに、前記周回体の周回を停止させる停止態様として、前記停止操作手段の操作タイミングで前記有効位置に到達している到達絵柄を前記周回体の周回する側に予め定めた絵柄数分だけ移動させた後に停止させる停止態様を有し、
さらに、当該停止駆動制御手段は、前記第１付与役及び前記第２付与役に共に当選した場合、前記第１付与役入賞が前記第２付与役入賞より優先して前記有効位置に成立するように、且つ前記第１付与役入賞を前記有効位置に成立させることが不可能な場合に前記第２付与役入賞が成立し得るように前記各駆動手段を停止駆動制御することを特徴とする請求項１又は請求項２に記載の遊技機。
【請求項４】
前記各周回体のうち少なくとも規定の周回体には、前記第１付与役入賞を形成する第１付与役対応絵柄と、前記第２付与役入賞を形成する第２付与役対応絵柄とを配置し、
前記停止駆動制御手段は、前記第１付与役及び前記第２付与役に共に当選した場合であって、前記各周回体のうち前記規定の周回体が特定順番時に停止操作された場合、その停止操作手段の操作タイミングに関わらず前記第１付与役対応絵柄が前記有効位置に停止するよう前記規定の周回体に対応する駆動手段を停止駆動制御することを特徴とする請求項３に記載の遊技機。
【請求項５】
前記停止駆動制御手段は、前記第１付与役及び前記第２付与役に共に当選した場合であって、前記規定の周回体が前記特定順番時とは異なる順番時に停止操作された場合、その停止操作手段の停止操作タイミングに応じて前記第２付与役対応絵柄が前記有効位置に停止するよう前記規定の周回体に対応する駆動手段を停止駆動制御することを特徴とする請求項４に記載の遊技機。
【請求項６】
前記停止駆動制御手段は、前記規定の周回体に対応する停止操作手段の停止操作タイミングが前記第２付与役対応絵柄が前記有効位置に停止する停止操作タイミングと異なる場合には前記第１付与役対応絵柄が前記有効位置に停止するよう前記規定の周回体に対応する駆動手段を停止駆動制御することを特徴とする請求項５に記載の遊技機。
【請求項７】
前記絵柄表示装置は、周方向に周回するとともに当該周方向に前記絵柄が複数種付された複数の周回体を備え、前記停止操作手段を前記各周回体の周回を個別に停止させるよう複数設け、
前記各周回体について各絵柄のうち一部の絵柄を視認可能とする表示窓部と、前記各周回体にそれぞれ対応させて設けられ、各周回体を周回させる駆動手段とを備えるとともに、
前記制御手段は、前記始動操作手段の操作に基づいて前記各周回体の周回を開始させるよう前記各駆動手段を開始駆動制御する開始駆動制御手段と、前記各停止操作手段の操作に基づいて対応する周回体の周回を停止させるよう前記各駆動手段を停止駆動制御する停止駆動制御手段とを備え、
前記絵柄の可変表示領域は前記表示窓部を介して視認可能な領域であり、当該視認可能な領域に前記有効位置を設定し、
前記停止駆動制御手段は、前記停止操作手段の操作タイミングから予め定められた規定期間内に対応する周回体の周回を停止させるよう前記各駆動手段を停止駆動制御するとともに、前記周回体の周回を停止させる停止態様として、前記停止操作手段の操作タイミングで前記有効位置に到達している到達絵柄を前記周回体の周回する側に予め定めた絵柄数分だけ移動させた後に停止させる停止態様を有し、
さらに、当該停止駆動制御手段は、
前記第１付与役及び前記第２付与役に共に当選した場合であって、前記各周回体が第１特定順序で停止操作された場合、前記第１付与役入賞が前記第２付与役入賞より優先して前記有効位置に成立するように前記各駆動手段を停止駆動制御するとともに、
前記第１付与役及び前記第２付与役に共に当選した場合であって、前記各周回体が第２特定順序で停止操作された場合、前記第２付与役入賞が前記第１付与役入賞より優先して前記有効位置に成立するように前記各駆動手段を停止駆動制御することを特徴とする請求項１又は請求項２に記載の遊技機。
【請求項８】
前記絵柄表示装置は、周方向に周回するとともに当該周方向に前記絵柄が複数種付された複数の周回体を備え、前記停止操作手段を前記各周回体の周回を個別に停止させるよう複数設け、
前記各周回体について各絵柄のうち一部の絵柄を視認可能とする表示窓部と、前記各周回体にそれぞれ対応させて設けられ、各周回体を周回させる駆動手段とを備えるとともに、
前記制御手段は、前記始動操作手段の操作に基づいて前記各周回体の周回を開始させるよう前記各駆動手段を開始駆動制御する開始駆動制御手段と、前記各停止操作手段の操作に基づいて対応する周回体の周回を停止させるよう前記各駆動手段を停止駆動制御する停止駆動制御手段とを備え、
前記絵柄の可変表示領域は前記表示窓部を介して視認可能な領域であり、当該視認可能な領域に前記有効位置を設定し、
前記停止駆動制御手段は、前記停止操作手段の操作タイミングから予め定められた規定期間内に対応する周回体の周回を停止させるよう前記各駆動手段を停止駆動制御するとともに、前記周回体の周回を停止させる停止態様として、前記停止操作手段の操作タイミングで前記有効位置に到達している到達絵柄を前記周回体の周回する側に予め定めた絵柄数分だけ移動させた後に停止させる停止態様を有し、
さらに、当該停止駆動制御手段は、前記第１付与役及び前記第２付与役に共に当選した場合、前記第２付与役入賞が前記第１付与役入賞より優先して前記有効位置に成立するように、且つ前記第２付与役入賞を前記有効位置に成立させることが不可能な場合には前記第１付与役入賞が成立し得るように前記各駆動手段を停止駆動制御することを特徴とする請求項１又は請求項２に記載の遊技機。
【請求項９】
遊技状況を報知する報知手段と、当該報知手段を制御する報知制御手段とを備え、
当該報知制御手段は、前記第２付与役入賞を成立させるべき旨の報知を前記特別遊技状態において少なくとも１回実行するように前記報知手段を制御する特別遊技状態用報知制御手段を備えたことを特徴とする請求項１乃至８のいずれか１に記載の遊技機。
【請求項１０】
前記付与累積数を把握する付与累積数把握手段を備え、
前記特別遊技状態移行手段は、前記付与累積数把握手段の把握結果に基づいて前記付与累積数が前記規定数に達したか否かを判定し、当該規定数に達した場合には特別遊技状態を終了させ、
前記特別遊技状態用報知制御手段は、前記付与累積数把握手段の把握結果に基づいて、前記第２付与役入賞を成立させるべき旨の報知を実行するように前記報知手段を制御することを特徴とする請求項９に記載の遊技機。